(57)【要約】【課題】ＢＤレコーダ側で再生ロック解除後に再生や一覧表示を行う事になりＤＴＶ側のみでＢＤレコーダの基本操作を行う事が出来ず不便である。【解決手段】ユーザから再生要求、一覧表示要求等のＢＤコンテンツへのアクセス要求が行われた時にＤＴＶ側からＢＤレコーダに対して再生ロックの有無を問合せ、再生ロックがかかっている時はユーザに対してパスワードの入力をうながす画面を表示する。入力されたパスワードをＢＤレコーダに通知する事によってＢＤコンテンツの再生ロックを解除し、再生や一覧表示を行う。【選択図】図５
2006040332.tif 000002
【特許請求の範囲】
【請求項１】
ブルーレイディスクレコーダ等のディスク機器に対してディレクトリの情報を取得するためのディレクトリ情報問合せ手段と、ユーザからのコンテンツ表示要求コマンドを受けた際に前記ディレクトリ情報から該当コンテンツやディレクトリに再生ロックが設定されているか否かを判断する再生ロック有無確認手段と、前記再生ロック有無確認手段で再生ロックがかかっていると確認した場合には、ユーザに再生ロックを解除するパスワードを入力させるパスワード入力手段と、前記パスワード入力手段で入力されたパスワードをブルーレイディスクレコーダ等のディスク機器に送信する送信手段を有する再生ロック解除装置。
【請求項２】
ブルーレイディスクレコーダ等のディスク機器から、アクセスコマンドに対してエラーが返された際に、当該表示にかかわるディレクトリ又はコンテンツに再生ロックがかけられているかを判断する判断手段を更に具備することを特徴とする再生ロック解除装置。
【発明の詳細な説明】
【技術分野】
【０００１】
本発明は、再生ロックがかかったコンテンツに対して受信機側からアクセスする際に、ネットワーク経由でロック解除することが可能な再生ロック解除装置に関する。
【背景技術】
【０００２】
デジタルテレビ（以降「ＤＴＶ」）を介して、外部機器を制御するという技術は以前からあったが、今後新たに普及が予想されるブルーレイディスク（以降、ＢＤ）レコーダでは、著作権保護とプライバシー保護の観点からコンテンツ自体にパスワードの設定を行い、再生ロック（アクセス制限）をかける事が可能である（例えば、特許文献１参照）。
【０００３】
図９にあるように、ＢＤのコンテンツはディレクトリ構成で保管され、次のような条件でパスワードを設定し再生ロックをかける事ができる。
【０００４】
（条件１）ディレクトリ単位もしくはコンテンツ単位。（条件２）ディレクトリとディレクトリ内コンテンツのパスワードは同一である。（条件３）異なるディレクトリで異なるパスワードの設定が可能である。（条件４）ディレクトリのパスワード解除でディレクトリ内コンテンツのパスワード解除が可能である。
【０００５】
まずＢＤレコーダがＤＴＶと接続されている時に、再生ロックのかかったディレクトリの内容を開示するコマンドを受けた時の動作を説明する。ＤＴＶからＢＤレコーダに対してＢＤコンテンツへのアクセス要求を行った際、そのコンテンツに再生ロックがかかっていた場合、ＢＤコンテンツを再生したり一覧表示することはできず、図３のようにまずＢＤリモコン（３００）を操作し、ＢＤレコーダ側で再生ロックを解除する必要がある。
【特許文献１】特開２００３−１６９２７９号公報
【発明の開示】
【発明が解決しようとする課題】
【０００６】
ＢＤレコーダを１３９４経由でＤＴＶに接続し、ＤＴＶ側から操作する事が可能であるが、ＢＤコンテンツやディレクトリに再生ロックがかかっている場合これらをそのまま再生、または一覧表示する事は出来ない。その為あらかじめロックを解除する必要があるがＢＤレコーダにデジタルエンコーダが搭載されていない場合、パスワード入力画面をＢＤレコーダから１３９４経由でＤＴＶに表示できない為、ユーザはＤＴＶから１３９４経由で再生ロックの解除ができない。従ってＢＤレコーダ側で再生ロック解除後に再生や一覧表示を行う事になりＤＴＶ側のみでＢＤレコーダの基本操作を行う事が出来ず不便である。
【課題を解決するための手段】
【０００７】
ユーザから再生要求、一覧表示要求等のＢＤコンテンツへのアクセス要求が行われた時にＤＴＶ側からＢＤレコーダに対して再生ロックの有無を問合せ、再生ロックがかかっている時はユーザに対してパスワードの入力をうながす画面を表示する。入力されたパスワードをＢＤレコーダに通知する事によってＢＤコンテンツの再生ロックを解除し、再生や一覧表示を行う。以上により、上記課題を解決する。
【発明の効果】
【０００８】
図４のようにＤＴＶに１３９４経由でＢＤレコーダ（特にデジタルエンコーダを有していないＢＤ）を接続しても再生ロックのかかったＢＤコンテンツに対して、ユーザはＤＴＶからの操作でパスワードを入力し再生ロックを解除する事ができる。
【発明を実施するための最良の形態】
【０００９】
本発明は、ＢＤコンテンツにかけられた再生ロックをＤＴＶ側の操作だけで解除し、再生や一覧表示させる事を実現する。
【００１０】
（実施の形態１）
ＢＤコンテンツに設定された再生ロックを解除する前に、まず該当コンテンツに再生ロックがかかっているかどうかを知る事が必要で、その情報はディレクトリ情報から参照可能である。ＤＴＶがディレクトリ情報を取得するタイミングはＢＤレコーダにＢＤが挿入された時と、カレントディレクトリが変わった時である。その為ＤＴＶがディレクトリ情報を取得する際はその情報をメモリに格納しておきアクセス要求があった時にメモリから参照する必要がある。以下にディレクトリ情報取得について説明する（図５）。
【００１１】
ＤＴＶの制御部（１１０）がディレクトリ情報取得コマンドをコマンド発行部（２３０）よりＢＤレコーダに送信する。コマンド受信部（２４０）がＢＤレコーダからの応答を受け、応答がディレクトリ情報であれば、その情報をメモリ（１３０）に記録し、表示部（１６０）は必要であればディレクトリ情報（ディレクトリタイトル等）を表示する。
【００１２】
次にコンテンツ表示要求を行い、パスワードを入力して内容表示するまでを説明する（図６）。制御部（１１０）がコンテンツ表示要求をユーザから受けるとコマンド判定部（２２０）は指定されたコンテンツに再生ロックがかかっているかどうかを図５で取得したディレクトリ情報から参照する（６０２）。ディレクトリあるいはコンテンツがパスワード設定され再生ロックがかかっている場合は、表示部を通じてパスワード入力用画面を表示する（６０４）。その後パスワードの入力完了を待ち、パスワードをＢＤレコーダに送信する。再生ロックが解除された場合（６０８）、制御部はコンテンツ情報をＢＤレコーダに問い合わせしコンテンツ内容（タイトル、記録年月日、記録時間等）を取得し、一覧表示等を行う。（６０８）で再生ロックを解除できなかった場合、再度パスワード入力画面を表示する（６０４）。（６０２）にて再生ロックがかかっていなかった場合は、そのままパスワード入力画面は表示せずにＢＤにコンテンツ内容を問い合わせし取得する。
【００１３】
制御部（１１０）がユーザからの再生要求を受けた場合も表示要求の場合と再生ロック解除までのフローは同様で、再生ロックが解除された後制御部はＢＤレコーダに再生要求を行う。
【００１４】
（実施の形態２）
ディレクトリ情報取得を行わずに直接アクセス要求を行った際の処理を説明する（図７、図８）。ユーザが再生や一覧表示を通じてＢＤへのアクセス要求を行った際、制御部（１１０）はＢＤレコーダにアクセス要求コマンドを送信する。アクセスした時、コンテンツがパスワード設定され再生ロックがかかっている場合（７０８）はＢＤレコーダからアクセス不可通知（要因：再生ロック）を受けるので制御部は表示部を通じてパスワード入力画面を表示する。以降は実施例１と同様である。
【産業上の利用可能性】
【００１５】
ＤＴＶ側からＢＤの再生ロックを解除することが可能であり、又、ユーザの立場からするとコンテンツの選択時に再生ロックの有無を確認し有ればパスワード入力により再生ロックが解除され、そのまま再生や一覧表示ができる為、ＤＴＶからのＢＤレコーダに対する操作性、利便性を向上することができる。
【図面の簡単な説明】
【００１６】
【図１】機器と機器内部構成を示した説明図
【図２】制御部の機能構成を示した説明図
【図３】従来の再生ロック解除の実装方法の説明図
【図４】発明した再生ロック解除の実装方法の説明図
【図５】ＢＤのディレクトリ情報取得時の処理を示すフローチャート
【図６】ディレクトリ情報を事前取得しディレクトリ内容表示する処理を示すフローチャート
【図７】ディレクトリ情報を取得せずにディレクトリ内容表示する処理を示すフローチャート
【図８】図７の続きの処理を示すフローチャート
【図９】ＢＤコンテンツの管理構成の説明図
【符号の説明】
【００１７】
１００    デジタルテレビ（ＤＴＶ）
１１０    制御部
１２０    通信駆動部
１３０    メモリ
１４０    リモコン受信部
１５０    表示制御部
１６０    表示部
１８０    デジタルテレビリモコン
１９０    ＢＤレコーダ（ＢＤ）
２１０    表示要求部
２２０    コマンド判定部
２３０    コマンド発行部
２４０    コマンド受信部
３００    ＢＤリモコン
９００    従来テレビ
【図１】
2006040332.tif 000003
【図２】
2006040332.tif 000004
【図３】
2006040332.tif 000005
【図４】
2006040332.tif 000006
【図５】
2006040332.tif 000007
【図６】
2006040332.tif 000008
【図７】
2006040332.tif 000009
【図８】
2006040332.tif 000010
【図９】
2006040332.tif 000011